(57)【要約】【課題】本発明は、簡単な作業にて管体同士を接合することができる新規な管体の接続構造を提供することを目的とする。【解決手段】  二本の管体２それぞれに対して一対のフランジ継手３を各々外装させ、前記二本の管体２間の継ぎ目２３を中子部材４にて覆い、前記一対のフランジ継手３の内周面に設けられたテーパ部３１３と前記中子部材４の外周面に設けられた短管当接部４４とを摺接させながら、フランジ部３２が互いに近づく方向に向けて移動させて各フランジ部３２同士を接合させることによって、前記中子部材４に締め付け力を生じさせた状態にて、前記二本の管体２を接続する。【選択図】図１
2013002494.tif 000002
【特許請求の範囲】
【請求項１】
二本の管体が開口端同士を対峙させた状態で接続されてなる管体の接続構造であって、
互いに接続される二本の管体と、
短管の一端の外周周りにフランジ部が設けられてなり、前記短管に前記管体が挿入された状態で前記二本の管体それぞれに対して各々外装される一対のフランジ継手と、
前記二本の管体間の継ぎ目を覆った状態で、前記二本の管体の外周面と、前記二本の管体それぞれに外装された各フランジ継手における各短管の内周面と、の間に介在される筒状の中子部材と、
を具備し、
前記フランジ継手には、前記短管の内周面において、前記短管の他端側から一端側に向かって内径を拡大するテーパ部が設けられてなり、
前記中子部材は、一の筒口から他の筒口に向かって筒壁を切り分ける一条のスリット部が設けられた筒体、若しくは、一の筒口から他の筒口に向かって筒壁を切り分ける複数条のスリット部によって分割された複数個の分割体が集合することによって筒体となるものであり、その外周面には、両筒口側から軸芯に沿って中央部側に向かうにつれて外径を増加させる凸型のテーパ面となされた短管当接部が設けられてなり、
前記二本の管体それぞれに対して前記一対のフランジ継手を各々外装させ、
前記二本の管体間の継ぎ目を前記中子部材にて覆うと共に前記中子部材に存する前記スリット部に充填材を介在させ、
前記一対のフランジ継手を、前記テーパ部と前記短管当接部とを摺接させながら、それぞれに設けられたフランジ部が互いに近づく方向に向けて移動させて、前記テーパ部によって前記短管当接部が押圧された状態にて各フランジ部同士を接合させることによって、
前記中子部材に生じた締め付け力にて前記二本の管体がそれぞれ締め付けられた状態で、前記二本の管体同士が接続されてなることを特徴とする管体の接続構造。
【請求項２】
請求項１に記載の管体の接続構造において、
前記二本の管体には、いずれも外周面を周回する一ないし複数の凹溝が設けられてなり、
前記中子部材には、その内周面を周回する複数の凸条が設けられてなり、
前記凹溝と前記凸条とが係合された状態にて、前記二本の管体間の継ぎ目が前記中子部材にて覆われてなる管体の接続構造。
【請求項３】
請求項１又は２に記載の管体の接続構造において、
前記二本の管体の外周面と前記中子部材の内周面との間には、弾性部材が介在されてなる管体の接続構造。
【請求項４】
請求項２に記載の管体の接続構造において、
前記弾性部材が、前記凹溝に嵌まり込んだ状態で保持されてなる管体の接続構造。
【請求項５】
請求項２又は４に記載の管体の接続構造において、
前記弾性部材が、隣接する前記凸条間に存する溝部に嵌まり込んだ状態で保持されてなる管体の接続構造
【請求項６】
請求項１ないし５のいずれか１項に記載の管体の接続構造において、
前記二本の管体の外周面と前記中子部材の内周面との間には、接着剤又は粘着剤が介在されてなる管体の接続構造。
【請求項７】
請求項１ないし６のいずれか１項に記載の管体の接続構造において、
前記短管当接部と前記テーパ部との間には、接着剤又は粘着剤が介在されてなる管体の接続構造。
【発明の詳細な説明】
【技術分野】
【０００１】
本発明は、二本の管体が開口端同士を対峙させた状態で、それぞれに外装されたフランジ継手同士の接合によって接続されてなる管体の接続構造に関する。
【背景技術】
【０００２】
管体同士を接続することによって管路を構築するにあたっては、通常、接続される管体同士を受け挿しし、接着剤で固定する手段（接着手段）、又は、各管体に外装されたフランジ部の接合面同士を対峙させ、ボルト等の締結部材を用いて固定する手段（締結手段）のいずれかの手段が用いられる。
【０００３】
接着手段によって管体同士を接続する場合、接続箇所における接着剤の接続強度を十分に高くしなければ、管路に応力が負荷された際に接続箇所において管体が外れたりする場合がある。
【０００４】
一方、締結手段は、ボルト等の締結力によって管体同士を接続することから、その接続強度は前記接着手段に比べて非常に高い。但し、締結手段を行うにあたっては、接続される管体同士にそれぞれフランジ部が設けられていることが前提となる。そのため、フランジ部が設けられていない管体同士を締結手段によって接続するにあたっては、「フランジ継手」と称される短管の一端にフランジ部が設けられた部材を管体に固定する必要が生じる。
【０００５】
管体にフランジ継手を固定するにあたっては、接着剤による固定が一般的に行われているが、接着剤による固定強度を十分に高くしなければ、管路に応力が負荷された際に管体からフランジ継手が外れるため、管体及びフランジ継手の素材に応じて適当な接着剤を選択する必要が生じる。
【０００６】
しかしながら、例えば、高圧配管等として利用されている複層管は、その外周面に積層されたガラス繊維強化樹脂層（ＦＲＰ層）の接着性が悪く、この種の複層管に対し、接着剤を用いてフランジ継手を十分な固定強度にて固定することは困難であった。
【０００７】
そのため、この種の複層管にフランジ継手を固定する場合にあっては、複層管における接合箇所のＦＲＰ層を剥ぎ取って硬質塩化ビニル層を露出させ、露出させた硬質塩化ビニル層とフランジ継手の内周面との間に充填型接着剤を介在させて固定する手段が行われている（例えば、下記特許文献１参照）。
【先行技術文献】
【特許文献】
【０００８】
【特許文献１】特開２００３‐２０７０８７号公報
【発明の概要】
【発明が解決しようとする課題】
【０００９】
しかしながら、複層管からＦＲＰ層を剥ぎ取るにあたっては、複層管に外装されたＦＲＰ層に対し、硬質塩化ビニル層まで切り込まないように注意しながらノコギリ等で切込みを入れ、剥ぎ取る箇所をバーナー等で加熱した後、ペンチ等を用いてＦＲＰ層を剥ぎ取るといった非常に煩雑な作業工程を要する。特に、高圧配管として使用される複層管においては、ＦＲＰ層が非常に厚く設けられており、剥ぎ取り作業をより困難なものにしていた。
【００１０】
本発明は、前記技術的課題を解決するために開発されたもので、簡単な作業にて管体同士を接合することができる新規な管体の接続構造を提供することを目的とする。
【課題を解決するための手段】
【００１１】
本発明の管体の接続構造は、二本の管体が開口端同士を対峙させた状態で接続されてなる管体の接続構造であって、互いに接続される二本の管体と、短管の一端の外周周りにフランジ部が設けられてなり、前記短管に前記管体が挿入された状態で前記二本の管体それぞれに対して各々外装される一対のフランジ継手と、前記二本の管体間の継ぎ目を覆った状態で、前記二本の管体の外周面と、前記二本の管体それぞれに外装された各フランジ継手における各短管の内周面と、の間に介在される筒状の中子部材と、を具備し、前記フランジ継手には、前記短管の内周面において、前記短管の他端側から一端側に向かって内径を拡大するテーパ部が設けられてなり、前記中子部材は、一の筒口から他の筒口に向かって筒壁を切り分ける一条のスリット部が設けられた筒体、若しくは、一の筒口から他の筒口に向かって筒壁を切り分ける複数条のスリット部によって分割された複数個の分割体が集合することによって筒体となるものであり、その外周面には、両筒口側から軸芯に沿って中央部側に向かうにつれて外径を増加させる凸型のテーパ面となされた短管当接部が設けられてなり、前記二本の管体それぞれに対して前記一対のフランジ継手を各々外装させ、前記二本の管体間の継ぎ目を前記中子部材にて覆うと共に前記中子部材に存する前記スリット部に充填材を介在させ、前記一対のフランジ継手を、前記テーパ部と前記短管当接部とを摺接させながら、それぞれに設けられたフランジ部が互いに近づく方向に向けて移動させて、前記テーパ部によって前記短管当接部が押圧された状態にて各フランジ部同士を接合させることによって、前記中子部材に生じた締め付け力にて前記二本の管体がそれぞれ締め付けられた状態で、前記二本の管体同士が接続されてなることを特徴とする（以下、本発明接続構造と称する。）。
【００１２】
本発明接続構造においては、前記二本の管体には、いずれも外周面を周回する一ないし複数の凹溝が設けられてなり、前記中子部材には、その内周面を周回する複数の凸条が設けられてなり、前記凹溝と前記凸条とが係合された状態にて、前記二本の管体間の継ぎ目が前記中子部材にて覆われてなるものが好ましい態様となる。
【００１３】
本発明接続構造においては、前記二本の管体の外周面と前記中子部材の内周面との間には、弾性部材が介在されてなるものが好ましい態様となる。
【００１４】
本発明接続構造においては、前記弾性部材が、前記凹溝に嵌まり込んだ状態で保持されてなるものが好ましい態様となる。
【００１５】
本発明接続構造においては、前記弾性部材が、隣接する前記凸条間に存する溝部に嵌まり込んだ状態で保持されてなるものが好ましい態様となる。
【００１６】
本発明接続構造においては、前記二本の管体の外周面と前記中子部材の内周面との間には、接着剤又は粘着剤が介在されてなるものが好ましい態様となる。
【００１７】
本発明接続構造においては、前記短管当接部と前記テーパ部との間には、接着剤又は粘着剤が介在されてなるものが好ましい態様となる。
【発明の効果】
【００１８】
本発明によれば、簡単な作業にて管体同士を接続することができる。
【図面の簡単な説明】
【００１９】
【図１】図１（ａ）は、実施形態１に係る本発明接続構造を分解して示す分解斜視図であり、図１（ｂ）は、実施形態１に係る本発明接続構造を示す側面図であり、一部を断面状態にて示している。
【図２】図２（ａ）〜（ｃ）は、実施形態１に係る本発明接続構造を構築する工程を示す側面図であり、（ｃ）において、一部を断面状態にて示している。
【図３】図３は、別の形状のフランジ継手を用いて構築した本発明管体構造を示す側面図であり、一部を断面状態にて示している。
【図４】図４（ａ）は、実施形態２に係る本発明接続構造を分解して示す分解斜視図であり、図４（ｂ）は、実施形態２に係る本発明接続構造を示す側面図であり、一部を断面状態にて示している。
【図５】図５（ａ）〜（ｃ）は、実施形態２に係る本発明接続構造を構築する工程を示す側面図であり、（ｃ）において、一部を断面状態にて示している。
【図６】図６（ａ）は、実施形態２に係る本発明接続構造において、凹溝に弾性部材を介在させた状態を示す拡大断面図であり、図６（ｂ）は、実施形態２に係る本発明接続構造において、隣接する凸条間に存する溝部に弾性部材を介在させた状態を示す拡大断面図である。
【発明を実施するための形態】
【００２０】
以下、本発明の実施形態を図面に基づいて説明するが、本発明はこの実施形態に限定されるものではない。
【００２１】
＜実施形態１＞
図１に示す実施形態１に係る本発明接続構造１は、二本の管体２（２Ａ、２Ｂ）と、一対のフランジ継手３（３Ａ、３Ｂ）と、中子部材４とを具備する。
【００２２】
前記二本の管体２（２Ａ、２Ｂ）は、いずれも硬質塩化ビニル管２１の外周面をＦＲＰ層２２で補強してなる円筒状の複層管である。
【００２３】
前記一対のフランジ継手３（３Ａ、３Ｂ）は、前記二本の管体２（２Ａ、２Ｂ）にそれぞれ外装されるものであり、いずれも円筒状の短管３１の一端３１１の外周面に環状のフランジ部３２が設けられた形状を有する。前記一対のフランジ継手３（３Ａ、３Ｂ）は、いずれもガラス繊維と熱硬化性樹脂からなる複合材を素材とし、前記短管３１と前記フランジ部３２とが一体的に型枠形成されたものである。前記フランジ部３２の接合面３２１は、前記短管３１の一端３１１の端面と面一となっている。一方、前記短管３１の他端３１２の端面は、フランジ部３２の裏面３２２から突出させている。
【００２４】
前記フランジ部３２には、接合面３２１から裏面３２２にわたって貫通する複数の接続孔３２３が設けられている。即ち、前記一対のフランジ継手３（３Ａ、３Ｂ）における各フランジ部３２の接合面３２１同士を対峙させると共に前記接続孔３２３を連通させた状態で、前記接続孔３２３にボルトＢを挿し入れてナットＮにて締結すれば、各フランジ継手３（３Ａ、３Ｂ）同士が接合される仕組みとなっている。
【００２５】
前記短管３１の内周面には、他端３１２側から一端３１１側に向かってその内径をなだらかに拡大するテーパ部３１３が設けられている。
【００２６】
前記フランジ部３２の裏面３２２と、前記フランジ部３２の裏面３２２から突出させた前記短管３１の外周面とがなす角部には、複数のリブＲが設けられている。
【００２７】
前記中子部材４は、開口端同士を対峙させた状態の前記二本の管体２（２Ａ、２Ｂ）の外周面と、前記一対のフランジ継手３（３Ａ、３Ｂ）の各短管３１の内周面との間に介在されるものであり、一の筒口４１から他の筒口４２にわたって筒壁を切り分ける二条のスリット部４３が設けられている。即ち、前記中子部材４は、筒体が二分割に縦割りされた如き形状の分割体４Ａ、４Ｂの集合体からなる。
【００２８】
前記中子部材４の内周面は、開口端同士を対峙させた状態の前記二本の管体２（２Ａ、２Ｂ）の外周面に沿い得る湾曲形状を有する。一方、前記中子部材４の外周面には、両筒口４１、４２側から軸芯に沿って中央部側に向かうにつれて外径を増加させる凸型のテーパ面となされた短管当接部４４が設けられている。この短管当接部４４の曲率半径及びテーパ角は、短管３１に設けたテーパ部３１３の曲率半径及びテーパ角と同一に設定している。
【００２９】
本発明接続構造１を構築するにあたっては、まず、図２（ａ）に示すように、前記二本の管体２（２Ａ、２Ｂ）それぞれに対し、前記一対のフランジ継手３（３Ａ、３Ｂ）の各々を外装し、前記二本の管体２（２Ａ、２Ｂ）の開口端同士を対峙させる。この際、各管体２（２Ａ、２Ｂ）に外装された各フランジ継手３（３Ａ、３Ｂ）は、それぞれ各管体２（２Ａ、２Ｂ）の対峙される開口端より奥側に移動させておき、各管体２（２Ａ、２Ｂ）における開口端が、それぞれに外装されたフランジ継手３（３Ａ、３Ｂ）における短管３１の一端３１１から十分に突出するようにする。
【００３０】
次いで、図２（ｂ）に示すように、開口端同士を対峙させた状態の前記二本の管体２（２Ａ、２Ｂ）間の継ぎ目２３を覆うようにして前記中子部材４を配置する。この際、前記二本の管体２（２Ａ、２Ｂ）の外周面と前記中子部材４の内周面との間に、ゴムやエラストマーなどの弾性部材を介在させても良い。又、前記二本の管体２（２Ａ、２Ｂ）の外周面と前記中子部材４の内周面との間に、接着剤や粘着剤を介在させることによって、前記二本の管体２（２Ａ、２Ｂ）に前記中子部材４を固定しても良い。接着剤を用いる場合にあっては、硬化した際に弾性を発揮する弾性接着剤を用いることが好ましい。前記二本の管体２（２Ａ、２Ｂ）の外周面と前記中子部材４の内周面との間に弾性部材、或いは接着剤や粘着剤を介在させると、前記二本の管体２（２Ａ、２Ｂ）の外周面と前記中子部材４の内周面との間に存する隙間が埋められて、各部材間のシール性が向上する。
【００３１】
前述の如く前記中子部材４は、分割体４Ａ、４Ｂの集合体であり、前記二本の管体２（２Ａ、２Ｂ）間の継ぎ目２３を覆うようにして配置された前記中子部材４には、分割体４Ａと分割体４Ｂとの間に二条のスリット部４３が存在する。本発明接続構造１を構築するにあたり、分割体４Ａ、４Ｂ間に存する二条のスリット部４３には、充填材５が介在される。本実施形態においては、前記充填材５として、前記スリット部４３の長さ方向にわたって充填され得る形状を有するシリコーンゴムを用いた。
【００３２】
前記二本の管体２（２Ａ、２Ｂ）に前記中子部材４を配置した後、図２（ｃ）に示すように、各フランジ継手３（３Ａ、３Ｂ）を、フランジ部３２同士が互いに近づく方向に向けて移動させる。この移動の際、前記テーパ部３１３と前記短管当接部４４とが摺接し、前記テーパ部３１３によって前記短管当接部４４が徐々に押圧されていく。各フランジ継手３（３Ａ、３Ｂ）における各フランジ部３２同士がある程度近づいた時点で、各フランジ部３２に設けられた接続孔３２３を連通させた上でボルトＢを差し入れ、ナットＮを用いて締結していく。
【００３３】
ボルトＢ及びナットＮを用いてフランジ部３２同士を締結すると、フランジ部３２同士が更に近接し、より一層、前記テーパ部３１３による押圧力が強くなり、前記中子部材４が各管体２（２Ａ、２Ｂ）に向かって押し付けられるため、前記中子部材４の内周面と各管体２（２Ａ、２Ｂ）の外周面との密着性が高まる。同時に、前記中子部材４に設けられたスリット部４３の幅が狭くなり、前記スリット部４３に介在された前記充填材５が押し潰される。
【００３４】
押し潰された前記充填材５は、弾性変形し、前記スリット部４３の深さ方向に拡張する。前記スリット部４３の幅が狭くなると共に、前記充填材５が前記スリット部４３の深さ方向に拡張することから、前記スリット部４３は、前記充填材５によって隅々まで満たされる。更に、押し潰された前記充填材５は弾性反発し、前記短管当接部４４と前記テーパ部３１３との密着性がより一層高まる。
【００３５】
前記テーパ部３１３によって前記短管当接部４４が十分に押圧された時点で前記フランジ部３２同士の締結を完了させる。これによって、図１（ｂ）に示す本発明接続構造１が構築される。本発明接続構造１においては、前記中子部材４に、前記二本の管体２（２Ａ、２Ｂ）を締め付ける締め付け力が生じており、この締め付け力によって各管体２（２Ａ、２Ｂ）が固定されている。又、前記中子部材４は、前記二本の管体２（２Ａ、２Ｂ）の外周面と、前記一対のフランジ継手３（３Ａ、３Ｂ）における各短管３１の内周面との間において、いわゆる「くさび」として機能する。これより、各フランジ継手３（３Ａ、３Ｂ）から前記二本の管体２（２Ａ、２Ｂ）が抜け出すことが好適に防止される。
【００３６】
ところで、本発明接続構造１を構築するにあたっては、前記中子部材４の外周面と前記短管３１の内周面との間に、接着剤や粘着剤を介在させることが好ましい。前記中子部材４の外周面と前記短管３１の内周面との間に、接着剤や粘着剤を介在させた状態で、各フランジ継手３（３Ａ、３Ｂ）を移動させて、前記テーパ部３１３と前記短管当接部４４とを摺接させれば、乾燥、硬化する前の接着剤や粘着剤が潤滑剤として作用し、フランジ部３２同士をより近接させた状態で接合することができ、もって、より強い締め付け力にて各管体２（２Ａ、２Ｂ）を固定することができる。又、介在させた接着剤や粘着剤によって各フランジ継手３（３Ａ、３Ｂ）の固定強度も向上する。
【００３７】
本実施形態においては、前記二本の管体２（２Ａ、２Ｂ）として、硬質塩化ビニル管２１の外周面をＦＲＰ層２２で補強してなる円筒状の複層管を用いたが、本発明において用いられる二本の管体２（２Ａ、２Ｂ）の素材は特に限定されるものではない。二本の管体２（２Ａ、２Ｂ）は、例えば、硬質塩化ビニルの単層管（ＶＰ管（塩ビ厚肉管）やＶＵ管（塩ビ薄肉管））や、コンクリート管、ガラス繊維強化複合管、或いは金属管であっても良い。又、二本の管体２（２Ａ、２Ｂ）としては円筒形状、即ち軸心に対して垂直となる水平面にて切断された水平断面形状が円形のものに限られず、例えば、水平断面形状が、楕円、四角形或いは更なる多角形状となっているものを用いても良い。更に、二本の管体２（２Ａ、２Ｂ）につき、それぞれ互いに異なる材質からなるものを用いても良い。
【００３８】
又、本実施形態においては、前記一対のフランジ継手３（３Ａ、３Ｂ）として、ガラス繊維と熱硬化性樹脂からなる複合材を素材とするものを用いているが、前記二本の管体２（２Ａ、２Ｂ）と同様、本発明において各フランジ継手３（３Ａ、３Ｂ）を構成する素材は特に限定されるものではない。又、前記短管３１としては、円筒形状の他、例えば、水平断面形状が、楕円、四角形或いは更なる多角形状となっているものを用いても良い。更に、前記短管３１は、前記管体２を挿入し得る内径を有するものであれば良く、例えば、前記管体２として円筒形状のものを用いた場合において、必ずしも前記短管３１を円筒形状とする必要はない。前記管体２と前記短管３１との形状が違っていても、介在させる中子部材４の内周面及び外周面の形状を適宜設定すれば、対応することができる。前記フランジ部３２の形状についても環状のもの、即ち、外縁形状が円形のものとする必要は無く、外縁形状が楕円、四角形或いは更なる多角形状のものであっても良い。
【００３９】
前記短管３１の内周面に設けられたテーパ部３１３は、必ずしも前記短管３１の内周面全域にわたって設ける必要は無い。例えば、短管３１の一端３１１の近辺にのみテーパ部３１３を設けても良いし、短管３１の他端３１２の近辺にのみテーパ部３１３を設けても良い。又、短管３１の内周面の中ほどにおいてテーパ部３１３を設けても良い。要は、中子部材４の外周面の少なくとも一部が、短管３１のテーパ部３１３に沿い得るように短管当接部４４を設ければ良い。
【００４０】
ところで、本実施形態においては、前記フランジ継手３として、短管３１の一端３１１の端面がフランジ部３２の接合面３２１と面一となされ、且つ、前記短管３１の他端３１２が、フランジ部３２の裏面３２２から突出してなるものを用いている。
【００４１】
この形状のフランジ継手３においては、前記短管３１の内周面と管体２の外周面との間に中子部材４が介在された際、前記短管３１に対し、その管壁を拡張する応力が負荷される。この応力は、フランジ部３２の裏面３２２と裏面３２２から突出させた前記短管３１の外周面とがなす角部に最も大きく作用する。この点につき、本実施形態においては、係る角部においてリブＲを複数設け、しかも、このリブＲにおける短管３１の外周面と接する一片の長さを、フランジ部３２の裏面３２２と接する一片の長さより長くすることによって、短管３１に負荷された応力をフランジ部３２において効率よく吸収できるようにしている。又、このリブＲにおける短管３１の外周面と接する一片の長さを、フランジ部３２の裏面３２２から突出させた短管３１の突出長さに対し５０％以上の長さとすることによって、短管３１に負荷された応力が効率よく分散されるようにし、短管３１の隔壁が拡張することを好適に防止している。更に、このリブＲを、フランジ部３２に設けた複数の接続孔３２３を挟む位置に設けることによって、フランジ部３２に吸収させた応力によってフランジ部３２に変形が生じることを防止している。
【００４２】
なお、本実施形態においては、短管３１の一端３１１の端面がフランジ部３２の接合面３２１と面一となされたフランジ継手３を用いているが、フランジ継手３としては、短管３１の一端３１１がフランジ部３２の接合面３２１から突出されたものを用いても良いし、フランジ部３２の接合面３２１及び裏面３２２のいずれからも短管３１の端面が突出していないもの（板状のフランジ部３２に短管３１としての貫通孔が形成されたもの）を用いても良い。
【００４３】
図３に、板状のフランジ部３２に短管３１としての貫通孔が形成されたフランジ継手３を用いた本発明接続構造１を図３に示す。この場合、短管３１の外周全体が周囲に設けられたフランジ部３２によって覆われた状態となるため、短管３１の管壁は拡張しない。
【００４４】
本実施形態において、前記中子部材４は、二条のスリット部４３によって二個の分割体４Ａ、４Ｂに分割されている。スリット部４３の数を増やせば、中子部材４はスリット部４３の数に応じて分割される。但し、スリット部４３が一条のみの場合、中子部材４は分割されず、一の筒口４１から他の筒口４２にわたって筒壁を切り分ける一条のスリット部４３が設けられた筒体となる。前記中子部材４に設けられるスリット部４３の数が多くなりすぎると、本発明接続構造１の構築時の作業性が悪くなるため、前記スリット部の数としては、１〜４条程度（好ましくは、２〜３条程度）とすることが好ましい。
【００４５】
又、本実施形態においては、前記中子部材４の内周面につき、開口端同士を対峙させた状態の前記二本の管体２（２Ａ、２Ｂ）の外周面に沿い得る湾曲形状とし、中子部材４の外周面に設けた短管当接部４４の曲率半径及びテーパ角を、短管３１に設けたテーパ部３１３の曲率半径及びテーパ角と同一となるように設定しているが、例えば、中子部材４を樹脂や金属などの可撓性を有する部材で構成し、本発明接続構造１が構築された際に、中子部材４の内周面及び短管当接部４４が、それぞれ前記二本の管体２（２Ａ、２Ｂ）の外周面及び短管３１のテーパ部３１３に沿い得る形状に可撓変形するようにしても良い。
【００４６】
本実施形態においては、前記充填材５として、シリコーンゴムから形成されたものを用いたが、この充填材５は、フッ素ゴムやスチレン‐ブタジエンゴムなどの他の弾性体から形成しても良い。又、充填材５は、スリット部４３の端面に接着やはめ込みなどによって固定しても良い。更に、充填材５は、スリット部４３に接着剤などの硬化性の液状体をスリット部４３に注入し、硬化させることによって形成しても良い。充填材５として接着剤を用いる場合にあっては、硬化した際に弾性を発揮する弾性接着剤を用いることが好ましい。
【００４７】
＜実施形態２＞
図４に示す、実施形態２に係る本発明接続構造１は、二本の管体２（２Ａ、２Ｂ）と、一対のフランジ継手３（３Ａ、３Ｂ）と、中子部材４とを具備する。
【００４８】
前記二本の管体２（２Ａ、２Ｂ）は、前記実施形態１と同様、いずれも硬質塩化ビニル管２１の外周面をＦＲＰ層２２で補強してなる円筒状の複層管である。なお、前記二本の管体２（２Ａ、２Ｂ）には、いずれも開口端近辺において外周面を周回する凹溝２４が旋盤加工によって三条設けられている。なお、前記凹溝２４の深さが深すぎて、前記凹溝２４の底部において硬質塩化ビニル管２１が露出すると、管体２の強度が不足する場合があるため、前記凹溝２４の深さとしては、管体２に設けられたＦＲＰ層２２の層厚の５０％以内とすることが好ましい。
【００４９】
前記一対のフランジ継手３（３Ａ、３Ｂ）は、いずれも円筒状の短管３１の一端３１１の外周面に環状のフランジ部３２が設けられた形状を有する。前記短管３１の内周面には、他端３１２側から一端３１１側に向かってその内径をなだらかに拡大するテーパ部３１３が設けられている。前記短管３１には、他端３１２側において前記短管３１の内径を小さくさせる厚肉部３１４が設けられている。なお、前記厚肉部３１４においてテーパ部３１３は設けられておらず、前記厚肉部３１４を除く短管３１の内周面においてテーパ部３１３が設けられている。
【００５０】
前記中子部材４には、一の筒口４１から他の筒口４２にわたって筒壁を切り分ける二条のスリット部４３が設けられている。即ち、前記中子部材４は、筒体が二分割に縦割りされた如き形状の分割体４Ａ、４Ｂの集合体からなる。
【００５１】
前記中子部材４には、両筒口４１、４２側において外径を小さくさせる段落ち部４５がそれぞれ設けられている。この段落ち部４５は、本発明接続構造１が構築された際、前記一対のフランジ継手３（３Ａ、３Ｂ）にそれぞれ設けられた厚肉部３１４と前記管体２の外周面との間に差し入れられる。
【００５２】
前記中子部材４の内周面は、開口端を対峙させた状態の前記二本の管体２（２Ａ、２Ｂ）の外周面に沿い得る湾曲形状を有する。又、前記中子部材４の内周面には、内周面を周回する凸条４６が複数設けられている。この凸条４６は、本発明接続構造１が構築される際に、前記二本の管体２（２Ａ、２Ｂ）にそれぞれ設けられた凹溝２４と係止される。
【００５３】
一方、前記中子部材４の外周面には、両筒口４１、４２側から軸芯に沿って中央部側に向かうにつれて外径を増加させる凸型のテーパ面となされた短管当接部４４が設けられている。なお、この短管当接部４４は、前記段落ち部４５には設けられていない。
【００５４】
実施形態２に係る本発明管体構造１を構築するにあたっては、前記実施形態１とほぼ同様の手順で行う。
【００５５】
まず、図５（ａ）に示すように、前記二本の管体２（２Ａ、２Ｂ）それぞれに対し、前記一対のフランジ継手３（３Ａ、３Ｂ）を各々外装し、前記二本の管体２（２Ａ、２Ｂ）の開口端同士を対峙させる。
【００５６】
次いで、図５（ｂ）に示すように、前記二本の管体２（２Ａ、２Ｂ）間の継ぎ目２３を覆うようにして前記中子部材４を配置する。この際、前記二本の管体２（２Ａ、２Ｂ）の外周面に設けられた前記凹溝２４に、前記中子部材４の内周面に設けられた前記凸条４６を嵌め入れる。前記凹溝２４に前記凸条４６を嵌め入れれば、前記二本の管体２（２Ａ、２Ｂ）に前記中子部材４が係止される。又、前記二本の管体２（２Ａ、２Ｂ）に対する前記中子部材４の位置決めも容易となる。前記中子部材４を構成する分割体４Ａ、４Ｂ間に存するスリット部４３には、弾性を有する充填材５が介在される。
【００５７】
前記二本の管体２（２Ａ、２Ｂ）に前記中子部材４を配置した後、図５（ｃ）に示すように、各フランジ継手３（３Ａ、３Ｂ）を、それぞれに設けられた各フランジ部３２同士が互いに近づく方向に向けて移動させる。この移動の際、前記テーパ部３１３と前記短管当接部４４とが摺接し、前記テーパ部３１３によって前記短管当接部４４が徐々に押圧されていく。各フランジ継手３（３Ａ、３Ｂ）における各フランジ部３２同士がある程度近づいた時点で、各フランジ部３２に設けられた接続孔３２３を連通させた上でボルトＢを差し入れ、ナットＮを用いて締結していけば、フランジ部３２同士が更に近接し、より一層、前記テーパ部３１３による押圧力が強くなる。
【００５８】
前記テーパ部３１３によって前記短管当接部４４が十分に押圧された時点で前記フランジ部３２同士の締結を完了させる。これによって、実施形態２に係る本発明接続構造１が構築される。本発明接続構造１においては、前記テーパ部３１３と前記短管当接部４４との接触面積が、前記実施形態１に係る本発明接続構造１より小さいため、より強い締め付け力を前記二本の管体２（２Ａ、２Ｂ）に付与することができる。又、本発明接続構造１においては、前記中子部材４の両筒口４１、４２に設けられた各段落ち部４５が、前記一対のフランジ継手３（３Ａ、３Ｂ）にそれぞれ設けられた厚肉部３１４と前記管体２の外周面との間に差し入れられているため、前記テーパ部３１３によって前記短管当接部４４が強く押圧された際に、前記中子部材４が反り返って、両筒口４１、４２が浮き上がることが好適に防止されている。
【００５９】
なお、本実施形態においては、各管体２（２Ａ、２Ｂ）に対し、凹溝２４を複数条設けているが、この凹溝２４の数は特に限定されるものではない。凹溝２４の数としては、１〜５条程度とすることが好ましい。又、凹溝２４は、管体２の外周面を螺旋状に周回する螺旋溝としても良い。
【００６０】
ところで、実施形態２に係る本発明管体構造１においては、前記二本の管体２（２Ａ、２Ｂ）の外周面と前記中子部材４の内周面との間に、ゴムやエラストマーなどの弾性部材を介在させて各部材間のシール性を向上させることが好ましい。
【００６１】
前記二本の管体２（２Ａ、２Ｂ）の外周面と前記中子部材４の内周面との間に、ゴムやエラストマーなどの弾性部材を介在させるにあたっては、図６（ａ）に示すように、前記二本の管体２（２Ａ、２Ｂ）の外周面にそれぞれ設けられた凹溝２４に弾性部材６を嵌まり込ませた状態としたり、図６（ｂ）に示すように、前記中子部材４の内周面に設けた隣接する前記凸条４６間に存する溝部に弾性部材６を嵌まり込ませた状態としたりすることが好ましい。
【００６２】
このような状態で、本発明接続構造１を構築すれば、前記中子部材４によって前記二本の管体２（２Ａ、２Ｂ）を締め付ける締め付け力によって、弾性部材６が押し潰されて、前記凹溝２４や隣接する前記凸条４６間に存する溝部が埋められるため、各部材間のシール性がより一層向上する。
【００６３】
その余は、前記実施形態１にて説明した事項と同様であることから、ここでは説明を省略する。
【００６４】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００６５】
本発明は、簡単な作業にて管体同士を接合することができ、従来、接続作業が非常に煩雑であった複層管等の接続作業を非常に容易にする。
【符号の説明】
【００６６】
１  本発明接続構造
２  管体
２３  継ぎ目
２４  凹溝
３  フランジ継手
３１  短管
３１１  一端
３１２  他端
３１３  テーパ部
３１４  厚肉部
３２  フランジ部
４  中子部材
４１  一の筒口
４２  他の筒口
４３  スリット部
４４  短管当接部
４５  段落ち部
４６  凸条
５  充填材
６  弾性部材
【図１】
2013002494.tif 000003
【図２】
2013002494.tif 000004
【図３】
2013002494.tif 000005
【図４】
2013002494.tif 000006
【図５】
2013002494.tif 000007
【図６】
2013002494.tif 000008